(57)【要約】【課題】電子機器の背面からハーネスを延出させるために延出部を設けるが、その延出部に浴室内の湯水が到達しないように、クッション性を備えたパッキンでその延出部を囲繞している。そして、さらに防水性を高めるため、そのパッキンの外側にコーキング剤を塗布して電子機器を浴室の壁面に取り付けるが、施工業者の技量によってそのコーキング剤の塗布の状態にばらつきが生じる。また、硬化後にコーキング剤がはがれないようにする必要がある。【解決手段】パッキンを囲繞する環状のコーキング剤塗布範囲を上記筐体の背面に表示させ、このコーキング剤塗布範囲の面粗さを筐体の背面の他の部分の面粗さよりも荒くしてコーキング剤を剥がれにくくした。【選択図】  図２
2020022129.tif 000002
【特許請求の範囲】
【請求項１】
防水性の筐体に囲われており、浴室の壁面に固定される浴室用電子機器であって、筐体の背面から延出するハーネスを有し、壁面に形成された貫通孔にこのハーネスが挿通された状態で上記筐体が壁面に固定されると、筐体の背面と壁面とで挟まれて圧縮され浴室内の湯水が上記貫通孔に到達しないようにするパッキンを備えたものにおいて、上記パッキンを囲繞する環状のコーキング剤塗布範囲を上記筐体の背面に表示させ、このコーキング剤塗布範囲の面粗さを筐体の背面の他の部分の面粗さよりも荒くしてコーキング剤を剥がれにくくしたことを特徴とする浴室用電子機器。
【発明の詳細な説明】
【技術分野】
【０００１】
本発明は、浴室内の壁面に固定される浴室テレビなどの浴室用電子機器に関する。
【背景技術】
【０００２】
従来のこの種の浴室用電子機器は、内部に浴室内の湯水が侵入しないように防水性を備えた筐体で覆われている。ただし、外部からの信号や、外部からの電力供給を受けるため、筐体内部から外部に対してハーネスが延出されている。このハーネスが延出されている部分は、筐体の他の部分の防水性と比較して防水性が劣るため、浴室内の湯水がその延出部に到達しないようにパッキン等による防水処置を行う必要がある。
【０００３】
例えば、浴室テレビでは、浴室テレビを浴室内の壁面に固定する際には、固定用の板金製のブラケットを壁面に固定し、そのブラケットに浴室テレビを固定する。浴室テレビの背面からハーネスを延出させ、壁面に設けた貫通穴にそのハーネスを挿通している。そして、ハーネスの延出部に浴室内の湯水が到達しないように、延出部を囲繞する環状のスポンジ状のパッキンが設けられている。そして、浴室テレビを壁面に固定する際に、そのパッキンを圧縮させて浴室内の湯水が延出部に到達しないようにシールしている。さらに、浴室テレビの外周縁にコーキング剤を塗布し、外周縁と壁面との間の隙間を埋めている。このように、浴室テレビの外周縁のコーキング剤と、上記スポンジ状のパッキンによって二重の防水を確保しているが、さらに防水性を高めるため、上記スポンジ状のパッキンの外側にコーキング剤を塗布した状態で浴室テレビを壁面に取り付け、その取り付けの際に浴室テレビの筐体の背面と壁面との間に、その塗布されたコーキング剤が挟まれるように構成する場合がある（例えば、特許文献１参照）。
【先行技術文献】
【特許文献】
【０００４】
【特許文献１】特開２０１８−７４２７６号公報（図１）
【発明の概要】
【発明が解決しようとする課題】
【０００５】
上記パッキンの外側にコーキング剤を塗布する作業は現場で施工業者が行うが、その際、施工業者の技量によって、コーキング剤の塗布される状態が相違するおそれが生じる。また、コーキング剤の塗布量が適切でない場合には、塗布されたコーキング剤が硬化した後に浴室テレビの筐体からコーキング剤が剥がれてしまうおそれも生じる。
【０００６】
そこで本発明は、上記の問題点に鑑み、コーキング剤の塗布の状態が施工業者によって相違せず、かつ硬化したコーキング剤が電子機器の筐体から剥がれにくい浴室用電子機器を提供することを課題とする。
【課題を解決するための手段】
【０００７】
上記課題を解決するために本発明による浴室用電子機器は、防水性の筐体に囲われており、浴室の壁面に固定される浴室用電子機器であって、筐体の背面から延出するハーネスを有し、壁面に形成された貫通孔にこのハーネスが挿通された状態で上記筐体が壁面に固定されると、筐体の背面と壁面とで挟まれて圧縮され浴室内の湯水が上記貫通孔に到達しないようにするパッキンを備えたものにおいて、上記パッキンを囲繞する環状のコーキング剤塗布範囲を上記筐体の背面に表示させ、このコーキング剤塗布範囲の面粗さを筐体の背面の他の部分の面粗さよりも荒くしてコーキング剤を剥がれにくくしたことを特徴とする。
【０００８】
上記コーキング剤塗布範囲を示すことにより、施工業者の技量が相違しても確実に適切な範囲にコーキング剤を塗布するようにした。また、このコーキング材塗布範囲の面粗さを他の部分の面粗さよりも荒くすることにより、硬化したコーキング剤がそのコーキング剤塗布範囲から剥がれにくくなるようにした。
【発明の効果】
【０００９】
以上の説明から明らかなように、本発明によれば、確実に適切な範囲にコーキング剤を塗布することができ、かつ、塗布されたコーキング剤が硬化した後に筐体から剥がれにくくなる。
【図面の簡単な説明】
【００１０】
【図１】液晶テレビが浴室の壁面に取り付けられている状態を示す正面図
【図２】液晶テレビの背面図
【図３】液晶テレビとブラケットとの関係を示す図
【図４】液晶テレビがブラケットに取り付けられた状態の断面図
【発明を実施するための形態】
【００１１】
図１を参照して、Ｗは浴室の壁面であり、電子機器である浴室テレビ１が固定されている。具体的には、浴室テレビ１が直接壁面Ｗに固定されるのではなく、図３に示すように、壁面Ｗに板金製のブラケット４が固定され、浴室テレビ１はそのブラケット４に取り付けられることによって壁面Ｗに固定されることになる。
【００１２】
図２および図３を参照して、ブラケット４の上部には前方に折り曲げられられた４個の係合片４１が設けられている。そして、ブラケット４の下部には同じく前方に折り曲げられた２個の固定片４２が設けられている。一方、浴室テレビ１の背面には、図２に示すように、上部に４個の係合窓１１と、下部に２個の固定窓１２とが開設されている。
【００１３】
ブラケット４が壁面Ｗに固定されている状態で、浴室テレビ１を前方からブラケット４に向かって近づけると、４個の係合片４１が各々係合窓１１に挿入され、２個の固定片４２が固定窓１２に挿入される。そして、浴室テレビ１を壁面Ｗに押し付けた状態で固定窓１２の下方からねじを用いて固定片４２を浴室テレビ１の筐体に固定する。すると、そのねじの締め付け力によって浴室テレビ１は下方に引き下げられ、係合片４１が係合窓１１の内面上部に密着して浴室テレビ１はブラケット４に固定される。
【００１４】
浴室テレビ１の背面にはハーネスの延出部１３が設けられ、その延出部１３を囲繞するパッキン２が浴室テレビ１の背面に予め貼り付けられている。このパッキン２は発泡素材で形成されており、外圧を受けると圧縮変形する。したがって、浴室テレビ１をブラケット４に取り付ける際に浴室テレビ１を壁面Ｗに押し付けると、パッキン２は圧縮されて壁面Ｗに密着することによって、浴室内の湯水が延出部１３に到達しないように機能する。なお、１４は通気シールであり、浴室テレビ１の筐体に形成された貫通穴を覆うように取り付けられており、浴室テレビ１の筐体内の圧力を大気圧に等しくするように機能する。
【００１５】
図４に示すように、浴室テレビ１をブラケット４に固定すると、浴室テレビ１の外周縁にコーキング剤５２を塗布して、浴室内の湯水が浴室テレビ１の背面に流れ込まないようにしている。そして、万一湯水が浴室テレビ１の背面側に流れ込んでも、上記パッキン２によって、その流れこんだ湯水がパッキン２で囲まれた範囲内に侵入しないように防水されている。そして、更に防水性を高めるために、浴室テレビ１をブラケット４に取り付ける際に、上記パッキン２を囲繞するように、コーキング剤５１を塗布して、浴室テレビ１の背面に流れこんだ湯水がパッキン２に到達する前にコーキング剤５１によって堰き止められるようにした。
【００１６】
このコーキング剤５１を塗布する範囲として、浴室テレビ１の背面に、コーキング剤塗布範囲３を表示した。従って、施工業者はこのコーキング剤塗布範囲３の全域にむらなくコーキング剤５１を塗布すればよい。このコーキング剤塗布範囲３はシボ加工を施すことによって浴室テレビ１の背面の他の部分よりも面粗さが荒くなっている。そのため、このコーキング剤塗布範囲３にコーキング剤５１を塗布すると、コーキング剤５１はコーキング剤塗布範囲３に対してより強固に接着し、硬化後に剥がれるおそれを低下させることができる。
【００１７】
ところで、上記コーキング剤塗布範囲３の面粗さを荒くする手段は上記シボ加工に限定されるものではなく、コーキング剤の接着力が他の部分での接着力より強くなるのであれば、特定の手段に限定されるものではない。  
【００１８】
なお、本発明は上記した形態に限定されるものではなく、本発明の要旨を逸脱しない範囲内において種々の変更を加えてもかまわない。
【符号の説明】
【００１９】
１ 浴室テレビ
２ パッキン
３ コーキング剤塗布範囲
４ ブラケット
１３ 延出部
５１ コーキング剤
【図１】
2020022129.tif 000003
【図２】
2020022129.tif 000004
【図３】
2020022129.tif 000005
【図４】
2020022129.tif 000006